(57)【特許請求の範囲】
【請求項１】
第１方向において互いに対向配置された第１面部及び第２面部を有し、且つ、前記第１面部と前記第２面部との間の第１空間の内部でエアシャワーを発生させるエアシャワー装置において、
前記第１面部に設けられ、且つ、空気が吹き出される第１吹出口をそれぞれ含む、複数の第１送風機と、
前記第２面部に設けられ、空気が吸い込まれる第１吸込口をそれぞれ含み、且つ、前記第１吸込口が前記複数の第１送風機の各々に含まれる前記第１吹出口とそれぞれ対向配置された、複数の第２送風機と、
前記第２面部に設けられ、且つ、空気が吹き出される第２吹出口をそれぞれ含む、複数の第３送風機と、
前記第１面部に設けられ、空気が吸い込まれる第２吸込口をそれぞれ含み、且つ、前記第２吸込口が前記複数の第３送風機の各々に含まれる前記第２吹出口とそれぞれ対向配置された、複数の第４送風機と、
を有し、
前記第１送風機と前記第２送風機との第１組において、
前記第１送風機は、前記第１送風機に含まれる前記第１吹出口から、前記第２送風機に含まれる前記第１吸込口に向けて、第１螺旋気流を吹き出し、
前記第２送風機は、前記第１送風機により吹き出された前記第１螺旋気流を、前記第２送風機に含まれる前記第１吸込口から吸い込み、
前記第３送風機と前記第４送風機との第２組において、
前記第３送風機は、前記第３送風機に含まれる前記第２吹出口から、前記第４送風機に含まれる前記第２吸込口に向けて、第２螺旋気流を吹き出し、
前記第４送風機は、前記第３送風機により吹き出された前記第２螺旋気流を、前記第４送風機に含まれる前記第２吸込口から吸い込み、
前記エアシャワー装置は、前記複数の第１送風機の各々にそれぞれ含まれる複数の前記第１吹出口から吹き出される複数の前記第１螺旋気流、及び、前記複数の第３送風機の各々にそれぞれ含まれる複数の前記第２吹出口から吹き出される複数の前記第２螺旋気流により、前記第１空間の内部で前記エアシャワーを発生させる、エアシャワー装置。
【請求項２】
請求項１に記載のエアシャワー装置において、
前記複数の第１吹出口の各々は、前記第１方向から視たときに、前記複数の第２吹出口のいずれとも重ならないように配置されている、エアシャワー装置。
【請求項３】
請求項１又は２に記載のエアシャワー装置において、
前記エアシャワー装置は、前記第１方向と交差する第２方向において互いに対向配置された第３面部及び第４面部を有し、且つ、前記第３面部と前記第４面部との間の前記第１空間の内部で前記エアシャワーを発生させ、
前記エアシャワー装置は、更に、
前記第３面部に設けられ、且つ、空気が吹き出される第３吹出口をそれぞれ含む、複数の第５送風機と、
前記第４面部に設けられ、空気が吸い込まれる第３吸込口をそれぞれ含み、且つ、前記第３吸込口が前記複数の第５送風機の各々に含まれる前記第３吹出口とそれぞれ対向配置された、複数の第６送風機と、
前記第４面部に設けられ、且つ、空気が吹き出される第４吹出口をそれぞれ含む、複数の第７送風機と、
前記第３面部に設けられ、空気が吸い込まれる第４吸込口をそれぞれ含み、且つ、前記第４吸込口が前記複数の第７送風機の各々に含まれる前記第４吹出口とそれぞれ対向配置された、複数の第８送風機と、
を有し、
前記第５送風機と前記第６送風機との第３組において、
前記第５送風機は、前記第５送風機に含まれる前記第３吹出口から、前記第６送風機に含まれる前記第３吸込口に向けて、第３螺旋気流を吹き出し、
前記第６送風機は、前記第５送風機により吹き出された前記第３螺旋気流を、前記第６送風機に含まれる前記第３吸込口から吸い込み、
前記第７送風機と前記第８送風機との第４組において、
前記第７送風機は、前記第７送風機に含まれる前記第４吹出口から、前記第８送風機に含まれる前記第４吸込口に向けて、第４螺旋気流を吹き出し、
前記第８送風機は、前記第７送風機により吹き出された前記第４螺旋気流を、前記第８送風機に含まれる前記第４吸込口から吸い込み、
前記エアシャワー装置は、前記複数の第５送風機の各々にそれぞれ含まれる複数の前記第３吹出口から吹き出される複数の前記第３螺旋気流、及び、前記複数の第７送風機の各々にそれぞれ含まれる複数の前記第４吹出口から吹き出される複数の前記第４螺旋気流により、前記第１空間の内部で前記エアシャワーを発生させる、エアシャワー装置。
【請求項４】
第１方向において互いに対向配置された第１面部及び第２面部、並びに、前記第１方向と交差する第２方向において互いに対向配置された第３面部及び第４面部を有し、且つ、前記第１面部と前記第２面部との間、及び、前記第３面部と前記第４面部との間の第１空間の内部でエアシャワーを発生させるエアシャワー装置において、
前記第１面部に設けられ、且つ、空気が吹き出される第１吹出口をそれぞれ含む、複数の第１送風機と、
前記第２面部に設けられ、空気が吸い込まれる第１吸込口をそれぞれ含み、且つ、前記第１吸込口が前記複数の第１送風機の各々に含まれる前記第１吹出口とそれぞれ対向配置された、複数の第２送風機と、
前記第３面部に設けられ、且つ、空気が吹き出される第２吹出口をそれぞれ含む、複数の第３送風機と、
前記第４面部に設けられ、空気が吸い込まれる第２吸込口をそれぞれ含み、且つ、前記第２吸込口が前記複数の第３送風機の各々に含まれる前記第２吹出口とそれぞれ対向配置された、複数の第４送風機と、
前記第４面部に設けられ、且つ、空気が吹き出される第３吹出口をそれぞれ含む、複数の第５送風機と、
前記第３面部に設けられ、空気が吸い込まれる第３吸込口をそれぞれ含み、且つ、前記第３吸込口が前記複数の第５送風機の各々に含まれる前記第３吹出口とそれぞれ対向配置された、複数の第６送風機と、
を有し、
前記第１送風機と前記第２送風機との第１組において、
前記第１送風機は、前記第１送風機に含まれる前記第１吹出口から、前記第２送風機に含まれる前記第１吸込口に向けて、第１螺旋気流を吹き出し、
前記第２送風機は、前記第１送風機により吹き出された前記第１螺旋気流を、前記第２送風機に含まれる前記第１吸込口から吸い込み、
前記第３送風機と前記第４送風機との第２組において、
前記第３送風機は、前記第３送風機に含まれる前記第２吹出口から、前記第４送風機に含まれる前記第２吸込口に向けて、第２螺旋気流を吹き出し、
前記第４送風機は、前記第３送風機により吹き出された前記第２螺旋気流を、前記第４送風機に含まれる前記第２吸込口から吸い込み、
前記第５送風機と前記第６送風機との第３組において、
前記第５送風機は、前記第５送風機に含まれる前記第３吹出口から、前記第６送風機に含まれる前記第３吸込口に向けて、第３螺旋気流を吹き出し、
前記第６送風機は、前記第５送風機により吹き出された前記第３螺旋気流を、前記第６送風機に含まれる前記第３吸込口から吸い込み、
前記エアシャワー装置は、前記複数の第１送風機の各々にそれぞれ含まれる複数の前記第１吹出口から吹き出される複数の前記第１螺旋気流、前記複数の第３送風機の各々にそれぞれ含まれる複数の前記第２吹出口から吹き出される複数の前記第２螺旋気流、及び、前記複数の第５送風機の各々にそれぞれ含まれる複数の前記第３吹出口から吹き出される複数の前記第３螺旋気流により、前記第１空間の内部で前記エアシャワーを発生させる、エアシャワー装置。
【請求項５】
請求項１乃至４のいずれか一項に記載のエアシャワー装置において、
前記複数の第１送風機の各々は、前記第１吹出口に設けられ、且つ、前記第１方向から視たときに時計回り又は反時計回りに渦を巻く渦巻形状をそれぞれ有する複数の孔が形成された第１グリルを含む、エアシャワー装置。
【請求項６】
第１方向において互いに対向配置された第１面部及び第２面部を有し、且つ、前記第１面部と前記第２面部との間の第１空間の内部でエアシャワーを発生させるエアシャワー装置において、
前記第１面部に設けられ、且つ、空気が吹き出される第１開口をそれぞれ含む、複数の第１送風機と、
前記第２面部に設けられ、空気が吸い込まれる第２開口をそれぞれ含み、且つ、前記第２開口が前記複数の第１送風機の各々に含まれる前記第１開口とそれぞれ対向配置された、複数の第２送風機と、
前記第２面部に設けられ、且つ、空気が吹き出されるか又は吸い込まれる第３開口をそれぞれ含む、複数の第３送風機と、
前記第１面部に設けられ、空気が吸い込まれるか又は吹き出される第４開口をそれぞれ含み、且つ、前記第４開口が前記複数の第３送風機の各々に含まれる前記第３開口とそれぞれ対向配置された、複数の第４送風機と、
前記複数の第３送風機及び前記複数の第４送風機の動作を切り替える切替部と、
を有し、
前記第１送風機と前記第２送風機との第１組において、
前記第１送風機は、前記第１送風機に含まれる前記第１開口から、前記第２送風機に含まれる前記第２開口に向けて、第１螺旋気流を吹き出し、
前記第２送風機は、前記第１送風機により吹き出された前記第１螺旋気流を、前記第２送風機に含まれる前記第２開口から吸い込み、
前記切替部は、
前記第３送風機と前記第４送風機との第２組において、
前記第３送風機が、前記第３送風機に含まれる前記第３開口から、前記第４送風機に含まれる前記第４開口に向けて、第２螺旋気流を吹き出すか、又は、前記第４送風機が、前記第４送風機に含まれる前記第４開口から、前記第３送風機に含まれる前記第３開口に向けて、第３螺旋気流を吹き出し、
前記第３送風機が前記第２螺旋気流を吹き出すときは、前記第４送風機が、前記第３送風機により吹き出された前記第２螺旋気流を、前記第４送風機に含まれる前記第４開口から吸い込み、
前記第４送風機が前記第３螺旋気流を吹き出すときは、前記第３送風機が、前記第４送風機により吹き出された前記第３螺旋気流を、前記第３送風機に含まれる前記第３開口から吸い込むように、
前記複数の第３送風機及び前記複数の第４送風機の動作を切り替え、
前記エアシャワー装置は、前記複数の第１送風機の各々にそれぞれ含まれる複数の前記第１開口から吹き出される複数の前記第１螺旋気流、及び、前記複数の第３送風機の各々にそれぞれ含まれる複数の前記第３開口から吹き出される複数の前記第２螺旋気流又は前記複数の第４送風機の各々にそれぞれ含まれる複数の前記第４開口から吹き出される複数の前記第３螺旋気流により、前記第１空間の内部で前記エアシャワーを発生させる、エアシャワー装置。
【請求項７】
請求項６に記載のエアシャワー装置において、
前記複数の第３送風機の各々は、
前記第１方向に沿った第１軸を中心とする第１筒部と、
前記第１筒部の内部に前記第１軸を中心として回転可能に設けられた第１ファンと、
前記第１ファンを時計回り又は反時計回りの回転方向である第１回転方向に回転駆動する第１駆動部と、
を含み、
前記第３開口は、前記第１筒部の前記第１方向における前記第１面部側の第１端部に設けられ、
前記複数の第４送風機の各々は、
前記第１方向に沿った第２軸を中心とする第２筒部と、
前記第２筒部の内部に前記第２軸を中心として回転可能に設けられた第２ファンと、
前記第２ファンを時計回り又は反時計回りの回転方向である第２回転方向に回転駆動する第２駆動部と、
を含み、
前記第４開口は、前記第２筒部の前記第１方向における前記第２面部側の第２端部に設けられ、
前記切替部は、
前記第３送風機と前記第４送風機との前記第２組において、
前記第１ファンが前記第３開口から空気を吹き出すか、又は、前記第２ファンが前記第４開口から空気を吹き出し、
前記第１ファンが前記第３開口から空気を吹き出すときは、前記第２ファンが前記第４開口から空気を吸い込み、
前記第２ファンが前記第４開口から空気を吹き出すときは、前記第１ファンが前記第３開口から空気を吸い込むように、
前記第１駆動部により回転駆動される前記第１ファンの前記第１回転方向、及び、前記第２駆動部により回転駆動される前記第２ファンの前記第２回転方向、を切り替えることにより、
前記複数の第３送風機及び前記複数の第４送風機の動作を切り替える、エアシャワー装置。
【請求項８】
請求項６又は７に記載のエアシャワー装置において、
前記複数の第１開口の各々は、前記第１方向から視たときに、前記複数の第３開口のいずれとも重ならないように配置されている、エアシャワー装置。
【請求項９】
請求項６乃至８のいずれか一項に記載のエアシャワー装置において、
前記第１方向は、上下方向であり、
前記第１面部は、天井面部であり、
前記第２面部は、床面部である、エアシャワー装置。
【請求項１０】
請求項６乃至９のいずれか一項に記載のエアシャワー装置において、
前記複数の第１送風機の各々は、前記第１開口に設けられ、且つ、前記第１方向から視たときに時計回り又は反時計回りに渦を巻く渦巻形状をそれぞれ有する複数の孔が形成された第１グリルを含み、
前記複数の第３送風機の各々は、前記第３開口に設けられ、且つ、前記第１方向から視たときに時計回り又は反時計回りに渦を巻く渦巻形状をそれぞれ有する複数の孔が形成された第２グリルを含み、
前記複数の第４送風機の各々は、前記第４開口に設けられ、且つ、前記第１方向から視たときに時計回り又は反時計回りに渦を巻く渦巻形状をそれぞれ有する複数の孔が形成された第３グリルを含む、エアシャワー装置。
【発明の詳細な説明】
【技術分野】
【０００１】
本発明は、エアシャワーを発生させるエアシャワー装置に関するものである。
【背景技術】
【０００２】
クリーンルーム等の清浄な環境に維持された清浄空間への入口には、入室者の着衣に付着したホコリ及びチリ、即ち塵埃を除去するためのエアシャワー装置が設置されている。エアシャワー装置は、エアシャワー装置に備えられたエアシャワー室に、クリーンルーム等への入室者が入っている状態で、エアシャワー室の内部でエアシャワーを発生させ、発生させたエアシャワーにより、入室者の着衣に付着した塵埃を除去する。
【０００３】
特開２００４−１７６５９７号公報（特許文献１）には、エアーシャワー装置において、送風機から流入されるエアーの向きに斜めに面した傾斜壁面を含む筒状の風向変更体が、送風機の吹き出し口に連通して設けられた外装体の内側中心軸にて回転可能に軸支されるとともに、送風機から流入されるエアーが当たることにより風向変更体を回転させる回転力を得る羽根が風向変更体に設けられた技術が開示されている。
【０００４】
実開平７−３２４３９号公報（特許文献２）には、エアーシャワー装置において、エアージェットノズル内に螺旋状部材を設けた技術が開示されている。
【先行技術文献】
【特許文献】
【０００５】
【特許文献１】特開２００４−１７６５９７号公報
【特許文献２】実開平７−３２４３９号公報
【発明の概要】
【発明が解決しようとする課題】
【０００６】
現在のクリーンルーム等で使用するエアシャワー装置としては、互いに対向する方向等、一斉に多方向から空気を放出し、放出された空気を、その空気が放出された方向と無関係の方向から排気するエアシャワー装置がほとんどである。そのため、空気の気流（対流）が乱れ、クリーンルーム等への入室者の着衣に付着したホコリ、チリ及び汚れがエアシャワー室の空間内のあちこちに舞いやすいという問題があった。
【０００７】
また、空気の気流が乱れて周囲にホコリが飛び散るおそれが高いこと、及び、エアシャワー装置がクリーンルーム等で使用する大掛かりな設備であることにより、店舗、事務所又は商業施設等において、エアシャワー装置を容易に設置しにくいという問題があった。
【０００８】
本発明は、上述のような従来技術の問題点を解決すべくなされたものであって、エアシャワー室の内部でエアシャワーを発生させるエアシャワー装置において、エアシャワー室の内部での空気の気流が乱れることを防止又は抑制することができ、容易に設置使用することができるエアシャワー装置を提供することを目的とする。
【課題を解決するための手段】
【０００９】
本願において開示される発明のうち、代表的なものの概要を簡単に説明すれば、次のとおりである。
【００１０】
本発明の一態様としてのエアシャワー装置は、第１方向において互いに対向配置された第１面部及び第２面部を有し、且つ、第１面部と第２面部との間の第１空間の内部でエアシャワーを発生させるエアシャワー装置である。当該エアシャワー装置は、第１面部に設けられ、且つ、空気が吹き出される第１吹出口をそれぞれ含む、複数の第１送風機と、第２面部に設けられ、空気が吸い込まれる第１吸込口をそれぞれ含み、且つ、第１吸込口が複数の第１送風機の各々に含まれる第１吹出口とそれぞれ対向配置された、複数の第２送風機と、を有する。第１送風機と第２送風機との第１組において、第１送風機は、第１送風機に含まれる第１吹出口から、第２送風機に含まれる第１吸込口に向けて、第１螺旋気流を吹き出し、第２送風機は、第１送風機により吹き出された第１螺旋気流を、第２送風機に含まれる第１吸込口から吸い込む。また、当該エアシャワー装置は、複数の第１送風機の各々にそれぞれ含まれる複数の第１吹出口から吹き出される複数の第１螺旋気流により、第１空間の内部でエアシャワーを発生させる。
【００１１】
また、他の一態様として、当該エアシャワー装置は、第２面部に設けられ、且つ、空気が吹き出される第２吹出口をそれぞれ含む、複数の第３送風機と、第１面部に設けられ、空気が吸い込まれる第２吸込口をそれぞれ含み、且つ、第２吸込口が複数の第３送風機の各々に含まれる第２吹出口とそれぞれ対向配置された、複数の第４送風機と、を有してもよい。第３送風機と第４送風機との第２組において、第３送風機は、第３送風機に含まれる第２吹出口から、第４送風機に含まれる第２吸込口に向けて、第２螺旋気流を吹き出し、第４送風機は、第３送風機により吹き出された第２螺旋気流を、第４送風機に含まれる第２吸込口から吸い込んでもよい。また、当該エアシャワー装置は、複数の第３送風機の各々にそれぞれ含まれる複数の第２吹出口から吹き出される複数の第２螺旋気流により、第１空間の内部でエアシャワーを発生させてもよい。
【００１２】
また、他の一態様として、複数の第１吹出口の各々は、第１方向から視たときに、複数の第２吹出口のいずれとも重ならないように配置されていてもよい。
【００１３】
また、他の一態様として、当該エアシャワー装置は、第１方向と交差する第２方向において互いに対向配置された第３面部及び第４面部を有し、且つ、第３面部と第４面部との間の第１空間の内部でエアシャワーを発生させてもよい。また、当該エアシャワー装置は、更に、第３面部に設けられ、且つ、空気が吹き出される第３吹出口をそれぞれ含む、複数の第５送風機と、第４面部に設けられ、空気が吸い込まれる第３吸込口をそれぞれ含み、且つ、第３吸込口が複数の第５送風機の各々に含まれる第３吹出口とそれぞれ対向配置された、複数の第６送風機と、第４面部に設けられ、且つ、空気が吹き出される第４吹出口をそれぞれ含む、複数の第７送風機と、第３面部に設けられ、空気が吸い込まれる第４吸込口をそれぞれ含み、且つ、第４吸込口が複数の第７送風機の各々に含まれる第４吹出口とそれぞれ対向配置された、複数の第８送風機と、を有してもよい。第５送風機と第６送風機との第３組において、第５送風機は、第５送風機に含まれる第３吹出口から、第６送風機に含まれる第３吸込口に向けて、第３螺旋気流を吹き出し、第６送風機は、第５送風機により吹き出された第３螺旋気流を、第６送風機に含まれる第３吸込口から吸い込んでもよい。第７送風機と第８送風機との第４組において、第７送風機は、第７送風機に含まれる第４吹出口から、第８送風機に含まれる第４吸込口に向けて、第４螺旋気流を吹き出し、第８送風機は、第７送風機により吹き出された第４螺旋気流を、第８送風機に含まれる第４吸込口から吸い込んでもよい。また、当該エアシャワー装置は、複数の第５送風機の各々にそれぞれ含まれる複数の第３吹出口から吹き出される複数の第３螺旋気流、及び、複数の第７送風機の各々にそれぞれ含まれる複数の第４吹出口から吹き出される複数の第４螺旋気流により、第１空間の内部でエアシャワーを発生させてもよい。
【００１４】
また、他の一態様として、複数の第１送風機の各々は、第１吹出口に設けられ、且つ、第１方向から視たときに時計回り又は反時計回りに渦を巻く渦巻形状をそれぞれ有する複数の孔が形成された第１グリルを含んでもよい。
【００１５】
本発明の一態様としてのエアシャワー装置は、第１方向において互いに対向配置された第１面部及び第２面部を有し、且つ、第１面部と第２面部との間の第１空間の内部でエアシャワーを発生させるエアシャワー装置である。当該エアシャワー装置は、第１面部に設けられ、且つ、空気が吹き出される第１開口をそれぞれ含む、複数の第１送風機と、第２面部に設けられ、空気が吸い込まれる第２開口をそれぞれ含み、且つ、第２開口が複数の第１送風機の各々に含まれる第１開口とそれぞれ対向配置された、複数の第２送風機と、を有する。また、当該エアシャワー装置は、第２面部に設けられ、且つ、空気が吹き出されるか又は吸い込まれる第３開口をそれぞれ含む、複数の第３送風機と、第１面部に設けられ、空気が吸い込まれるか又は吹き出される第４開口をそれぞれ含み、且つ、第４開口が複数の第３送風機の各々に含まれる第３開口とそれぞれ対向配置された、複数の第４送風機と、複数の第３送風機及び複数の第４送風機の動作を切り替える切替部と、を有する。第１送風機と第２送風機との第１組において、第１送風機は、第１送風機に含まれる第１開口から、第２送風機に含まれる第２開口に向けて、第１螺旋気流を吹き出し、第２送風機は、第１送風機により吹き出された第１螺旋気流を、第２送風機に含まれる第２開口から吸い込む。切替部は、第３送風機と第４送風機との第２組において、第３送風機が、第３送風機に含まれる第３開口から、第４送風機に含まれる第４開口に向けて、第２螺旋気流を吹き出すか、又は、第４送風機が、第４送風機に含まれる第４開口から、第３送風機に含まれる第３開口に向けて、第３螺旋気流を吹き出し、第３送風機が第２螺旋気流を吹き出すときは、第４送風機が、第３送風機により吹き出された第２螺旋気流を、第４送風機に含まれる第４開口から吸い込み、第４送風機が第３螺旋気流を吹き出すときは、第３送風機が、第４送風機により吹き出された第３螺旋気流を、第３送風機に含まれる第３開口から吸い込むように、複数の第３送風機及び複数の第４送風機の動作を切り替える。また、当該エアシャワー装置は、複数の第１送風機の各々にそれぞれ含まれる複数の第１開口から吹き出される複数の第１螺旋気流、及び、複数の第３送風機の各々にそれぞれ含まれる複数の第３開口から吹き出される複数の第２螺旋気流又は複数の第４送風機の各々にそれぞれ含まれる複数の第４開口から吹き出される複数の第３螺旋気流により、第１空間の内部でエアシャワーを発生させる。
【００１６】
また、他の一態様として、複数の第３送風機の各々は、第１方向に沿った第１軸を中心とする第１筒部と、第１筒部の内部に第１軸を中心として回転可能に設けられた第１ファンと、第１ファンを時計回り又は反時計回りの回転方向である第１回転方向に回転駆動する第１駆動部と、を含み、第３開口は、第１筒部の第１方向における第１面部側の第１端部に設けられてもよい。複数の第４送風機の各々は、第１方向に沿った第２軸を中心とする第２筒部と、第２筒部の内部に第２軸を中心として回転可能に設けられた第２ファンと、第２ファンを時計回り又は反時計回りの回転方向である第２回転方向に回転駆動する第２駆動部と、を含み、第４開口は、第２筒部の第１方向における第２面部側の第２端部に設けられてもよい。切替部は、第３送風機と第４送風機との第２組において、第１ファンが第３開口から空気を吹き出すか、又は、第２ファンが第４開口から空気を吹き出し、第１ファンが第３開口から空気を吹き出すときは、第２ファンが第４開口から空気を吸い込み、第２ファンが第４開口から空気を吹き出すときは、第１ファンが第３開口から空気を吸い込むように、第１駆動部により回転駆動される第１ファンの第１回転方向、及び、第２駆動部により回転駆動される第２ファンの第２回転方向、を切り替えることにより、複数の第３送風機及び複数の第４送風機の動作を切り替えてもよい。
【００１７】
また、他の一態様として、複数の第１開口の各々は、第１方向から視たときに、複数の第３開口のいずれとも重ならないように配置されていてもよい。
【００１８】
また、他の一態様として、第１方向は、上下方向であり、第１面部は、天井面部であり、第２面部は、床面部であってもよい。
【００１９】
また、他の一態様として、複数の第１送風機の各々は、第１開口に設けられ、且つ、第１方向から視たときに時計回り又は反時計回りに渦を巻く渦巻形状をそれぞれ有する複数の孔が形成された第１グリルを含んでもよい。複数の第３送風機の各々は、第３開口に設けられ、且つ、第１方向から視たときに時計回り又は反時計回りに渦を巻く渦巻形状をそれぞれ有する複数の孔が形成された第２グリルを含んでもよい。複数の第４送風機の各々は、第４開口に設けられ、且つ、第１方向から視たときに時計回り又は反時計回りに渦を巻く渦巻形状をそれぞれ有する複数の孔が形成された第３グリルを含んでもよい。
【発明の効果】
【００２０】
本発明の一態様を適用することで、エアシャワー室の内部での空気の気流が乱れることを防止又は抑制することができ、エアシャワー装置を容易に設置使用することができる。
【図面の簡単な説明】
【００２１】
【図１】実施の形態のエアシャワー装置の構成の一例を模式的に示す正面図である。
【図２】実施の形態のエアシャワー装置の一部を模式的に示す断面図である。
【図３】実施の形態のエアシャワー装置の構成の一例を模式的に示す図である。
【図４】実施の形態のエアシャワー装置の構成の一例を模式的に示す斜視図である。
【図５】実施の形態のエアシャワー装置の構成の他の例を模式的に示す図である。
【図６】実施の形態の変形例のエアシャワー装置の構成を模式的に示す正面図である。
【図７】実施の形態の変形例のエアシャワー装置の一部を模式的に示す断面図である。
【図８】実施の形態の変形例のエアシャワー装置の構成を模式的に示す図である。
【発明を実施するための形態】
【００２２】
以下に、本発明の実施の形態及び変形例について、図面を参照しつつ説明する。
【００２３】
なお、開示はあくまで一例にすぎず、当業者において、発明の主旨を保っての適宜変更について容易に想到し得るものについては、当然に本発明の範囲に含有されるものである。また、図面は説明をより明確にするため、実施の態様に比べ、各部の幅、厚さ、形状等について模式的に表される場合があるが、あくまで一例であって、本発明の解釈を限定するものではない。
【００２４】
また本明細書と各図において、既出の図に関して前述したものと同様の要素には、同一の符号を付して、詳細な説明を適宜省略することがある。
【００２５】
更に、実施の形態で用いる図面においては、断面図であっても図面を見やすくするためにハッチングを省略する場合もある。また、平面図であっても図面を見やすくするためにハッチングを付す場合もある。
【００２６】
なお、以下の実施の形態においてＡ〜Ｂとして範囲を示す場合には、特に明示した場合を除き、Ａ以上Ｂ以下を示すものとする。
【００２７】
（実施の形態）
＜エアシャワー装置＞
本発明の一実施形態である実施の形態のエアシャワー装置について説明する。図１は、実施の形態のエアシャワー装置の構成の一例を模式的に示す正面図である。図２は、実施の形態のエアシャワー装置の一部を模式的に示す断面図である。図３は、実施の形態のエアシャワー装置の構成の一例を模式的に示す図である。図４は、実施の形態のエアシャワー装置の構成の一例を模式的に示す斜視図である。図５は、実施の形態のエアシャワー装置の構成の他の例を模式的に示す図である。
【００２８】
なお、図２は、図１に示すエアシャワー装置１のうち、１台（１個）の送風機１１又は送風機１５と１台（１個）の送風機１２又は送風機１６とにより形成される組ＳＴ１１又は組ＳＴ１３を示している。また、図２は、図１に示すエアシャワー装置１のうち、１台（１個）の送風機１３又は送風機１７と１台（１個）の送風機１４又は送風機１８とにより形成される組ＳＴ１２又は組ＳＴ１４を示している。また、図１、図２及び図４においては、気流の向きを矢印により示している（後述する図６及び図７においても同様）。
【００２９】
図１乃至図４に示すように、本実施の形態のエアシャワー装置１は、方向Ｄ１１において互いに対向配置された面部ＦＰ１１及び面部ＦＰ１２を有し、且つ、面部ＦＰ１１と面部ＦＰ１２との間の空間ＳＰの内部でエアシャワーを発生させる。エアシャワー装置１は、複数の送風機（サーキュレータ）１１と、複数の送風機（サーキュレータ）１２と、を有する。なお、図１における方向Ｄ１１は、水平方向であり、図１における方向Ｄ１１と交差好適には直交する方向Ｄ１２は、上下方向である。
【００３０】
複数の送風機１１は、面部ＦＰ１１に設けられ、且つ、空気が吹き出される吹出口１１ａ即ち開口１１ｂをそれぞれ含む。複数の送風機１２は、面部ＦＰ１２に設けられ、空気が吸い込まれる吸込口１２ａ即ち開口１２ｂをそれぞれ含み、且つ、吸込口１２ａが複数の送風機１１の各々に含まれる吹出口１１ａとそれぞれ対向配置されている。なお、面部ＦＰ１１及び面部ＦＰ１２の各々は側面部であり、後述する面部ＦＰ１３は天井面部であり、後述する面部ＦＰ１４は床面部である。
【００３１】
具体的には、複数の送風機１１の各々は、方向Ｄ１１に沿った中心軸１１ｃを中心とする筒部１１ｄと、筒部１１ｄの内部に中心軸１１ｃを中心として回転可能に設けられたファン１１ｅと、ファン１１ｅを時計回り又は反時計回りの回転方向である第１回転方向に回転駆動する駆動部１１ｆと、を含むことができる。このような場合、吹出口１１ａは、筒部１１ｄの方向Ｄ１１に沿った方向における面部ＦＰ１２側の端部１１ｇに設けられる。ファン１１ｅは、筒部１１ｄの端部１１ｇと反対側から空気を吸い込み、吸い込まれた空気を、吹出口１１ａから吹き出す。
【００３２】
また、複数の送風機１２の各々は、方向Ｄ１１に沿った中心軸１２ｃを中心とする筒部１２ｄと、筒部１２ｄの内部に中心軸１２ｃを中心として回転可能に設けられたファン１２ｅと、ファン１２ｅを時計回り又は反時計回りの回転方向である第２回転方向に回転駆動する駆動部１２ｆと、を含むことができる。このような場合、吸込口１２ａは、筒部１２ｄの方向Ｄ１１に沿った方向における面部ＦＰ１１側の端部１２ｇに設けられる。ファン１２ｅは、吸込口１２ａから空気を吸い込み、吸込口１２ａから吸い込まれた空気を、筒部１２ｄの端部１２ｇと反対側から吹き出す。
【００３３】
本実施の形態では、複数の送風機１１の各々について、送風機１１と、複数の送風機１２のうちのいずれかであり且つ送風機１１に含まれる吹出口１１ａと対向配置された吸込口１２ａを含む送風機１２とにより、組ＳＴ１１が形成されている。
【００３４】
送風機１１と送風機１２との組ＳＴ１１において、送風機１１は、送風機１１に含まれる吹出口１１ａから、送風機１２に含まれる吸込口１２ａに向けて、螺旋気流ＳＡ１１を吹き出す。また、送風機１１と送風機１２との組において、送風機１２は、送風機１１に含まれる吹出口１１ａから送風機１２に含まれる吸込口１２ａに向けて送風機１１により吹き出された螺旋気流ＳＡ１１を、送風機１２に含まれる吸込口１２ａから吸い込む。
【００３５】
また、本実施の形態のエアシャワー装置１は、複数の送風機１１の各々にそれぞれ含まれる複数の吹出口１１ａから吹き出される複数の螺旋気流ＳＡ１１により、空間ＳＰの内部でエアシャワーを発生させる。
【００３６】
ここで、エアシャワー装置によりエアシャワーを発生させる際の問題点について説明する。
【００３７】
現在のクリーンルーム等で使用するエアシャワー装置としては、互いに対向する方向等、一斉に多方向から空気を放出し、放出された空気を、その空気が放出された方向と無関係の方向から排気するエアシャワー装置がほとんどである。そのため、空気の気流（対流）が乱れ、クリーンルーム等への入室者の着衣に付着したホコリ、チリ及び汚れがエアシャワー室の空間内のあちこちに舞いやすいという問題があった。
【００３８】
また、空気の気流が乱れて周囲にホコリが飛び散るおそれが高いこと、及び、エアシャワー装置がクリーンルーム等で使用する大掛かりな設備であることにより、店舗、事務所又は商業施設等において、エアシャワー装置を容易に設置しにくいという問題があった。
【００３９】
上記特許文献１に記載された技術では、羽根が得た回転力により風向変更体が回転駆動されると、送風機から流入されるエアーの向きが風向変更体によって変えられながら螺旋状に放出される。しかし、上記特許文献１に記載された技術では、クリーンルームに入室する作業者がエアーシャワー室に入ると、エアーシャワー室の両側の壁面から、即ち一斉に多方向から空気を放出し、放出された空気を、その空気が放出された方向と無関係の方向から排気するため、空気の気流が乱れやすいという問題があった。
【００４０】
上記特許文献２に記載された技術では、シャワー室の両側に位置する空気浄化室とシャワー室とを区画する隔壁に多数設けた空気噴射口にホルダにより支持されたエアージェットノズル内に、螺旋状部材が設けられている。しかし、上記特許文献２に記載された技術では、シャワー室の両側から、即ち一斉に多方向から空気を放出し、放出された空気を、その空気が放出された方向と無関係の方向から排気するため、空気の気流が乱れやすいという問題があった。
【００４１】
一方、本実施の形態のエアシャワー装置１は、方向Ｄ１１において互いに対向配置された面部ＦＰ１１及び面部ＦＰ１２と、面部ＦＰ１１に設けられた複数の送風機１１と、面部ＦＰ１２に設けられた複数の送風機１２と、を有し、送風機１２に含まれる吸込口１２ａが送風機１１に含まれる吹出口１１ａと対向配置されている。また、送風機１１と送風機１２との組ＳＴ１１において、送風機１１は、送風機１１に含まれる吹出口１１ａから、送風機１２に含まれる吸込口１２ａに向けて、螺旋気流ＳＡ１１を吹き出し、送風機１２は、送風機１１により吹き出された螺旋気流ＳＡ１１を、吸込口１２ａから吸い込む。また、複数の送風機１１に含まれる複数の吹出口１１ａから吹き出される複数の螺旋気流ＳＡ１１により、面部ＦＰ１１と面部ＦＰ１２との間の空間ＳＰの内部でエアシャワーを形成する。
【００４２】
吹出口１１ａから螺旋形状を有する螺旋気流ＳＡ１１を吹き出す場合、螺旋形状以外の形状を有する気流を吹き出す場合よりも、気流が広がらずに直進しやすくなる。即ち、螺旋気流ＳＡ１１の直進性は、螺旋形状以外の形状を有する気流の直進性よりも高い。また、螺旋気流ＳＡ１１が吸い込まれる吸込口１２ａが、螺旋気流ＳＡ１１が吹き出される吹出口１１ａと対向配置されている。
【００４３】
このような場合、複数の送風機１１の各々にそれぞれ含まれる複数の吹出口１１ａから複数の螺旋気流ＳＡ１１を吹き出すことにより放出された空気を、放出された方向と同じ方向に排気することになる。そのため、空気の気流（対流）が乱れることを防止又は抑制し、クリーンルーム等への入室者ＶＳの着衣に付着したホコリ、チリ及び汚れがエアシャワー室の空間ＳＰ内のあちこちに舞うことを防止又は抑制することができる。
【００４４】
また、送風機の吹出口の位置と送風機の吸込口との位置が１対１に対応している。そのため、クリーンルーム等の清浄空間への入室者が入口を通る際に、入口でホコリ、チリ及び汚れなどを吹き飛ばすことができ、吹出口からエアシャワー室の内部に吹き出され、エアシャワー室の内部から吸込口に吸い込まれる空気の気流の乱れを減少させることができる。
【００４５】
また、空気の気流が乱れて周囲にホコリが飛び散る可能性が従来よりも少ないので、店舗、事務所又は商業施設等において、エアシャワー装置を容易に設置使用することができる。また、従来は、エアシャワー装置は、クリーンルーム等で使用する大掛かりな設備であったが、本実施の形態のエアシャワー装置によれば、より安価なエアシャワー装置を実現することができ、重厚な設備でなくても使用がしやすい。更に、店舗、事務所又は商業施設等の室内に外部から入室する入室者の着衣に付着した花粉等を吹き飛ばすことができ、花粉症対策としても有効である。
【００４６】
即ち、エアシャワー室の内部での空気の気流が乱れることを防止又は抑制することができ、エアシャワー装置を容易に設置使用することができる。
【００４７】
図１乃至図４に示すように、好適には、エアシャワー装置１は、複数の送風機（サーキュレータ）１３と、複数の送風機（サーキュレータ）１４と、を有する。
【００４８】
複数の送風機１３は、面部ＦＰ１２に設けられ、且つ、空気が吹き出される吹出口１３ａ即ち開口１３ｂをそれぞれ含む。複数の送風機１４は、面部ＦＰ１１に設けられ、空気が吸い込まれる吸込口１４ａ即ち開口１４ｂをそれぞれ含み、且つ、吸込口１４ａが複数の送風機１３の各々に含まれる吹出口１３ａとそれぞれ対向配置されている。
【００４９】
具体的には、複数の送風機１３の各々は、方向Ｄ１１に沿った中心軸１３ｃを中心とする筒部１３ｄと、筒部１３ｄの内部に中心軸１３ｃを中心として回転可能に設けられたファン１３ｅと、ファン１３ｅを時計回り又は反時計回りの回転方向である第３回転方向に回転駆動する駆動部１３ｆと、を含むことができる。このような場合、吹出口１３ａは、筒部１３ｄの方向Ｄ１１に沿った方向における面部ＦＰ１１側の端部１３ｇに設けられる。ファン１３ｅは、筒部１３ｄの端部１３ｇと反対側から空気を吸い込み、吸い込まれた空気を、吹出口１３ａから吹き出す。
【００５０】
また、複数の送風機１４の各々は、方向Ｄ１１に沿った中心軸１４ｃを中心とする筒部１４ｄと、筒部１４ｄの内部に中心軸１４ｃを中心として回転可能に設けられたファン１４ｅと、ファン１４ｅを時計回り又は反時計回りの回転方向である第４回転方向に回転駆動する駆動部１４ｆと、を含むことができる。このような場合、吸込口１４ａは、筒部１４ｄの方向Ｄ１１に沿った方向における面部ＦＰ１２側の端部１４ｇに設けられる。ファン１４ｅは、吸込口１４ａから空気を吸い込み、吸込口１４ａから吸い込まれた空気を、筒部１４ｄの端部１４ｇと反対側から吹き出す。
【００５１】
また、複数の送風機１３の各々について、送風機１３と、複数の送風機１４のうちのいずれかであり且つ送風機１３に含まれる吹出口１３ａと対向配置された吸込口１４ａを含む送風機１４とにより、組ＳＴ１２が形成されている。
【００５２】
送風機１３と送風機１４との組ＳＴ１２において、送風機１３は、送風機１３に含まれる吹出口１３ａから、送風機１４に含まれる吸込口１４ａに向けて、螺旋気流ＳＡ１２を吹き出す。また、送風機１３と送風機１４との組ＳＴ１２において、送風機１４は、送風機１３に含まれる吹出口１３ａから送風機１４に含まれる吸込口１４ａに向けて送風機１３により吹き出された螺旋気流ＳＡ１２を、送風機１４に含まれる吸込口１４ａから吸い込む。
【００５３】
また、本実施の形態のエアシャワー装置１は、複数の送風機１３の各々にそれぞれ含まれる複数の吹出口１３ａから吹き出される複数の螺旋気流ＳＡ１２により、空間ＳＰの内部でエアシャワーを発生させる。
【００５４】
このような場合、複数の吹出口１１ａから複数の螺旋気流ＳＡ１１を吹き出す場合も空気の気流（対流）が乱れることを防止又は抑制することができ、複数の吹出口１３ａから複数の螺旋気流ＳＡ１２を吹き出す場合も空気の気流（対流）が乱れることを防止又は抑制することができる。そのため、クリーンルーム等への入室者ＶＳの着衣のうち、面部ＦＰ１１と対向した部分のみならず、面部ＦＰ１２と対向した部分にも空気を吹き付けることができ、入室者ＶＳの着衣に付着したホコリ、チリ及び汚れを効率良く除去することができる。
【００５５】
図２乃至図４に示すように、好適には、複数の送風機１１の各々にそれぞれ含まれる複数の吹出口１１ａの各々は、方向Ｄ１１から視たときに、複数の送風機１３の各々にそれぞれ含まれる複数の吹出口１３ａのいずれとも重ならないように、即ち複数の吹出口１３ａのいずれとも重ならない位置に、配置されている。また、複数の送風機１２の各々にそれぞれ含まれる複数の吸込口１２ａの各々は、方向Ｄ１１から視たときに、複数の送風機１４の各々にそれぞれ含まれる複数の吸込口１４ａのいずれとも重ならないように、即ち複数の吸込口１４ａのいずれとも重ならない位置に、配置されている。
【００５６】
このような場合、複数の吹出口１１ａから吹き出された螺旋気流ＳＡ１１と、複数の吹出口１３ａから吹き出された螺旋気流ＳＡ１２と、が互いに接触することを防止又は抑制することができる。そのため、空気の気流が乱れることを防止又は抑制することができ、クリーンルーム等への入室者ＶＳの着衣に付着したホコリ、チリ及び汚れがエアシャワー室の空間内のあちこちに舞うことを防止又は抑制することができる。
【００５７】
即ち、複数の吹出口１１ａ即ち開口１１ｂ、複数の吸込口１２ａ即ち開口１２ｂ、複数の吹出口１３ａ即ち開口１３ｂ、及び、複数の吸込口１４ａ即ち開口１４ｂは、複数の螺旋気流ＳＡ１１、及び、複数の螺旋気流ＳＡ１２のうちいずれか２つの螺旋気流が互いに接触しないように、配置されている（後述する実施の形態の変形例において説明する複数の開口２１ｂ、複数の開口２２ｂ、複数の開口２３ｂ、複数の開口２４ｂ、複数の螺旋気流ＳＡ２１、複数の螺旋気流ＳＡ２２及び複数の螺旋気流ＳＡ２３についても同様）。
【００５８】
なお、送風機１１と送風機１２との組ＳＴ１１において、吹出口１１ａと吸込口１２ａとは、方向Ｄ１１から視たときに、互いに重なるように配置されている。また、送風機１３と送風機１４との組ＳＴ１２において、吹出口１３ａと吸込口１４ａとは、方向Ｄ１１から視たときに、互いに重なるように配置されている。
【００５９】
図５に示すように、複数の吹出口１１ａ即ち複数の開口１１ｂの各々の直径を直径ＤＭ１１とし、複数の吸込口１４ａ即ち複数の開口１４ｂの各々の直径を直径ＤＭ１２とする。このようにしたとき、好適には、方向Ｄ１１（図２参照）から視たときに、互いに隣り合う吹出口１１ａと吸込口１４ａとの中心間距離ＤＳ１１は、直径ＤＭ１１の２倍、及び、直径ＤＭ１２の２倍のいずれよりも大きい。これにより、吹出口１１ａと吸込口１４ａとを、いずれの直径に等しい距離よりも離すことができ、螺旋気流ＳＡ１１（図２参照）と螺旋気流ＳＡ１２（図２参照）とを互いに十分離すことができる。
【００６０】
また、複数の吹出口１３ａ即ち複数の開口１３ｂの各々の直径を直径ＤＭ１３とし、複数の吸込口１２ａ即ち複数の開口１２ｂの各々の直径を直径ＤＭ１４とする。このようにしたとき、好適には、方向Ｄ１１（図２参照）から視たときに、互いに隣り合う吹出口１３ａと吸込口１２ａとの中心間距離ＤＳ１２は、直径ＤＭ１３の２倍、及び、直径ＤＭ１４の２倍のいずれよりも大きい。これにより、吹出口１３ａと吸込口１２ａとを、いずれの直径に等しい距離よりも離すことができ、螺旋気流ＳＡ１１（図２参照）と螺旋気流ＳＡ１２（図２参照）とを互いに十分離すことができる。
【００６１】
或いは、図５に示すように、好適には、方向Ｄ１１（図２参照）から視たときに、互いに隣り合う吹出口１１ａと吸込口１４ａとの中心間距離ＤＳ１１は、互いに隣り合う２つの吹出口１１ａ同士の中心間距離ＤＳ１３よりも小さく、且つ、互いに隣り合う２つの吸込口１４ａ同士の中心間距離ＤＳ１４よりも小さい。このような場合も、螺旋気流ＳＡ１１（図２参照）と螺旋気流ＳＡ１２（図２参照）とを互いに十分離すことができる。
【００６２】
また、好適には、方向Ｄ１１（図２参照）から視たときに、互いに隣り合う吹出口１３ａと吸込口１２ａとの中心間距離ＤＳ１２は、互いに隣り合う２つの吹出口１３ａ同士の中心間距離ＤＳ１５よりも小さく、且つ、互いに隣り合う２つの吸込口１２ａ同士の中心間距離ＤＳ１６よりも小さい。このような場合も、螺旋気流ＳＡ１１（図２参照）と螺旋気流ＳＡ１２（図２参照）とを互いに十分離すことができる。
【００６３】
図１乃至図４に示すように、好適には、本実施の形態のエアシャワー装置１は、方向Ｄ１１と交差好適には直交する方向Ｄ１２において互いに対向配置された面部ＦＰ１３及び面部ＦＰ１４を有し、且つ、面部ＦＰ１３と面部ＦＰ１４との間の空間ＳＰの内部でエアシャワーを発生させる。エアシャワー装置１は、複数の送風機（サーキュレータ）１５と、複数の送風機（サーキュレータ）１６と、複数の送風機（サーキュレータ）１７と、複数の送風機（サーキュレータ）１８と、を有する。なお、このような場合において、本実施の形態のエアシャワー装置１は、複数の送風機１１と複数の送風機１２とのみを有し、複数の送風機１３と複数の送風機１４とを有しなくてもよい。
【００６４】
複数の送風機１５は、面部ＦＰ１３に設けられ、且つ、空気が吹き出される吹出口１５ａ即ち開口１５ｂをそれぞれ含む。複数の送風機１６は、面部ＦＰ１４に設けられ、空気が吸い込まれる吸込口１６ａ即ち開口１６ｂをそれぞれ含み、且つ、吸込口１６ａが複数の送風機１５の各々に含まれる吹出口１５ａとそれぞれ対向配置されている。
【００６５】
複数の送風機１７は、面部ＦＰ１４に設けられ、且つ、空気が吹き出される吹出口１７ａ即ち開口１７ｂをそれぞれ含む。複数の送風機１８は、面部ＦＰ１３に設けられ、空気が吸い込まれる吸込口１８ａ即ち開口１８ｂをそれぞれ含み、且つ、吸込口１８ａが複数の送風機１７の各々に含まれる吹出口１７ａとそれぞれ対向配置されている。
【００６６】
具体的には、複数の送風機１５の各々は、方向Ｄ１２に沿った中心軸１５ｃを中心とする筒部１５ｄと、筒部１５ｄの内部に中心軸１５ｃを中心として回転可能に設けられたファン１５ｅと、ファン１５ｅを時計回り又は反時計回りの回転方向である第５回転方向に回転駆動する駆動部１５ｆと、を含むことができる。このような場合、吹出口１５ａは、筒部１５ｄの方向Ｄ１２に沿った方向における面部ＦＰ１４側の端部１５ｇに設けられる。ファン１５ｅは、筒部１５ｄの端部１５ｇと反対側から空気を吸い込み、吸い込まれた空気を、吹出口１５ａから吹き出す。
【００６７】
また、複数の送風機１６の各々は、方向Ｄ１２に沿った中心軸１６ｃを中心とする筒部１６ｄと、筒部１６ｄの内部に中心軸１６ｃを中心として回転可能に設けられたファン１６ｅと、ファン１６ｅを時計回り又は反時計回りの回転方向である第６回転方向に回転駆動する駆動部１６ｆと、を含むことができる。このような場合、吸込口１６ａは、筒部１６ｄの方向Ｄ１２に沿った方向における面部ＦＰ１３側の端部１６ｇに設けられる。ファン１６ｅは、吸込口１６ａから空気を吸い込み、吸込口１６ａから吸い込まれた空気を、筒部１６ｄの端部１６ｇと反対側から吹き出す。
【００６８】
また、複数の送風機１７の各々は、方向Ｄ１２に沿った中心軸１７ｃを中心とする筒部１７ｄと、筒部１７ｄの内部に中心軸１７ｃを中心として回転可能に設けられたファン１７ｅと、ファン１７ｅを時計回り又は反時計回りの回転方向である第７回転方向に回転駆動する駆動部１７ｆと、を含むことができる。このような場合、吹出口１７ａは、筒部１７ｄの方向Ｄ１２に沿った方向における面部ＦＰ１３側の端部１７ｇに設けられる。ファン１７ｅは、筒部１７ｄの端部１７ｇと反対側から空気を吸い込み、吸い込まれた空気を、吹出口１７ａから吹き出す。
【００６９】
また、複数の送風機１８の各々は、方向Ｄ１２に沿った中心軸１８ｃを中心とする筒部１８ｄと、筒部１８ｄの内部に中心軸１８ｃを中心として回転可能に設けられたファン１８ｅと、ファン１８ｅを時計回り又は反時計回りの回転方向である第８回転方向に回転駆動する駆動部１８ｆと、を含むことができる。このような場合、吸込口１８ａは、筒部１８ｄの方向Ｄ１２に沿った方向における面部ＦＰ１４側の端部１８ｇに設けられる。ファン１８ｅは、吸込口１８ａから空気を吸い込み、吸込口１８ａから吸い込まれた空気を、筒部１８ｄの端部１８ｇと反対側から吹き出す。
【００７０】
また、複数の送風機１５の各々について、送風機１５と、複数の送風機１６のうちのいずれかであり且つ送風機１５に含まれる吹出口１５ａと対向配置された吸込口１６ａを含む送風機１６とにより、組ＳＴ１３が形成されている。また、複数の送風機１７の各々について、送風機１７と、複数の送風機１８のうちのいずれかであり且つ送風機１７に含まれる吹出口１７ａと対向配置された吸込口１８ａを含む送風機１８とにより、組ＳＴ１４が形成されている。
【００７１】
送風機１５と送風機１６との組ＳＴ１３において、送風機１５は、送風機１５に含まれる吹出口１５ａから、送風機１６に含まれる吸込口１６ａに向けて、螺旋気流ＳＡ１３を吹き出す。また、送風機１５と送風機１６との組ＳＴ１３において、送風機１６は、送風機１５に含まれる吹出口１５ａから送風機１６に含まれる吸込口１６ａに向けて送風機１５により吹き出された螺旋気流ＳＡ１３を、送風機１６に含まれる吸込口１６ａから吸い込む。
【００７２】
送風機１７と送風機１８との組ＳＴ１４において、送風機１７は、送風機１７に含まれる吹出口１７ａから、送風機１８に含まれる吸込口１８ａに向けて、螺旋気流ＳＡ１４を吹き出す。また、送風機１７と送風機１８との組ＳＴ１４において、送風機１８は、送風機１７に含まれる吹出口１７ａから送風機１８に含まれる吸込口１８ａに向けて送風機１７により吹き出された螺旋気流ＳＡ１４を、送風機１８に含まれる吸込口１８ａから吸い込む。
【００７３】
また、本実施の形態のエアシャワー装置１は、複数の送風機１５の各々にそれぞれ含まれる複数の吹出口１５ａから吹き出される複数の螺旋気流ＳＡ１３、及び、複数の送風機１７の各々にそれぞれ含まれる複数の吹出口１７ａから吹き出される複数の螺旋気流ＳＡ１４により、空間ＳＰの内部でエアシャワーを発生させる。
【００７４】
このような場合、複数の吹出口１５ａから複数の螺旋気流ＳＡ１３を吹き出す場合も空気の気流（対流）が乱れることを防止又は抑制することができ、複数の吹出口１７ａから複数の螺旋気流ＳＡ１４を吹き出す場合も空気の気流（対流）が乱れることを防止又は抑制することができる。そのため、クリーンルーム等への入室者ＶＳの着衣のうち、面部ＦＰ１３と対向した部分、及び、面部ＦＰ１４と対向した部分にも空気を吹き付けることができ、入室者ＶＳの着衣に付着したホコリ、チリ及び汚れを効率良く除去することができる。
【００７５】
なお、店舗、事務所又は商業施設等の入口に設置する場合ではなく、クリーンルーム等の清浄な環境に維持された清浄空間への入口に設置する場合には、例えば箱形の本体ケース（図示は省略）の内部に門形状に隔壁を設けることにより、本体ケースの内部を、中央部分を正面側から背面側へ貫通する通路を兼ねたエアシャワー室と、エアシャワー室の両側に位置する空気浄化室と、に区画することができる。このとき、上記した面部ＦＰ１１、面部ＦＰ１２、面部ＦＰ１３及び面部ＦＰ１４のいずれか３つの面部が隔壁に相当する。また、エアシャワー室と空気浄化室とは、隔壁に設けられた、吹出口即ち開口、及び、吸込口即ち開口、によって連通されることになる。
【００７６】
また、好適には、複数の吹出口１５ａ即ち開口１５ｂ、複数の吸込口１６ａ即ち開口１６ｂ、複数の吹出口１７ａ即ち開口１７ｂ、及び、複数の吸込口１８ａ即ち開口１８ｂは、水平方向に略沿った複数の螺旋気流ＳＡ１１及び複数の螺旋気流ＳＡ１２、並びに、上下方向に略沿った複数の螺旋気流ＳＡ１３及び複数の螺旋気流ＳＡ１４、のうちいずれか２つの螺旋気流が互いに接触しないように、配置されている（後述する実施の形態の変形例においても同様）。
【００７７】
また、図３においては、送風機１１及び送風機１３を代表して送風機１３を示すものの、好適には、複数の送風機１１（図５参照）の各々は、吹出口１１ａ即ち開口１１ｂ（図５参照）に設けられ、且つ、方向Ｄ１１（図２参照）から視たときに時計回り又は反時計回りに渦を巻く渦巻形状をそれぞれ有する複数の孔１１ｈが形成されたグリル１１ｉを含む。複数の孔１１ｈの各々は、グリル１１ｉを方向Ｄ１１に貫通する。なお、前述したように、図３では、孔１３ｈを孔１１ｈとして示し、グリル１３ｉをグリル１１ｉとして示している。
【００７８】
グリル１１ｉに形成された複数の孔１１ｈが、時計回り又は反時計回りに渦を巻く渦巻形状をそれぞれ有する場合、グリル１１ｉに形成された複数の孔１１ｈが時計回り又は反時計回りに渦を巻く渦巻形状を有しない場合に比べて、螺旋形状（スパイラル形状）を有する螺旋気流ＳＡ１１を容易に吹き出すことができる。なお、送風機１２から送風機１１に向かって視たとき、グリル１１ｉに形成された孔１１ｈが有する渦巻形状の回転方向と、送風機１１により吹き出された螺旋気流ＳＡ１１の回転方向と、ファン１１ｅの回転方向と、は同じ回転方向である。また、複数の送風機１５についても、方向Ｄ１１に代えて方向Ｄ１２から視たときに渦巻形状を有する点を除いて、複数の送風機１１と同様にすることができる。
【００７９】
また、図３に示すように、複数の送風機１３の各々は、吹出口１３ａ即ち開口１３ｂに設けられ、且つ、方向Ｄ１１から視たときに時計回り又は反時計回りに渦を巻く渦巻形状をそれぞれ有する複数の孔１３ｈが形成されたグリル１３ｉを含む。複数の孔１３ｈの各々は、グリル１３ｉを方向Ｄ１１に貫通する。
【００８０】
グリル１３ｉに形成された複数の孔１３ｈが、時計回り又は反時計回りに渦を巻く渦巻形状をそれぞれ有する場合、グリル１３ｉに形成された複数の孔１３ｈが時計回り又は反時計回りに渦を巻く渦巻形状を有しない場合に比べて、螺旋形状（スパイラル形状）を有する螺旋気流ＳＡ１２を容易に吹き出すことができる。なお、送風機１４から送風機１３に向かって視たとき、グリル１３ｉに形成された孔１３ｈが有する渦巻形状の回転方向と、送風機１３により吹き出された螺旋気流ＳＡ１２の回転方向と、ファン１３ｅの回転方向と、は同じ回転方向である。また、複数の送風機１７についても、方向Ｄ１１に代えて方向Ｄ１２から視たときに渦巻形状を有する点を除いて、複数の送風機１３と同様にすることができる。
【００８１】
＜エアシャワー装置の変形例＞
次に、実施の形態のエアシャワー装置の変形例について説明する。本変形例のエアシャワー装置１ａでは、開口２３ｂから開口２４ｂに向けて螺旋気流ＳＡ２２を吹き出すか、又は、開口２４ｂから開口２３ｂに向けて螺旋気流ＳＡ２３を吹き出すか、切替可能である。
【００８２】
図６は、実施の形態の変形例のエアシャワー装置の構成を模式的に示す正面図である。図７は、実施の形態の変形例のエアシャワー装置の一部を模式的に示す断面図である。図８は、実施の形態の変形例のエアシャワー装置の構成を模式的に示す図である。なお、図６における方向Ｄ２１は、図１における方向Ｄ１２（上下方向）に相当し、図６における方向Ｄ２２は、図１における方向Ｄ１１（水平方向）に相当する。
【００８３】
図６乃至図８に示すように、本変形例のエアシャワー装置１ａは、実施の形態のエアシャワー装置１と同様に、方向Ｄ２１において互いに対向配置された面部ＦＰ２１及び面部ＦＰ２２を有し、且つ、面部ＦＰ２１と面部ＦＰ２２との間の空間ＳＰの内部でエアシャワーを発生させる。エアシャワー装置１ａは、複数の送風機（サーキュレータ）２１と、複数の送風機（サーキュレータ）２２と、複数の送風機（サーキュレータ）２３と、複数の送風機（サーキュレータ）２４と、を有する。
【００８４】
なお、本変形例のエアシャワー装置１ａにおける面部ＦＰ２１及び面部ＦＰ２２は、実施の形態のエアシャワー装置１における面部ＦＰ１３（天井面部）及び面部ＦＰ１４（床面部）に相当し、本変形例のエアシャワー装置１ａにおける面部ＦＰ２３及び面部ＦＰ２４は、実施の形態のエアシャワー装置１における面部ＦＰ１１（側面部）及び面部ＦＰ１２（側面部）に相当する。また、本変形例のエアシャワー装置１ａにおける複数の送風機２１及び複数の送風機２２は、実施の形態のエアシャワー装置１における複数の送風機１５及び複数の送風機１６に相当し、本変形例のエアシャワー装置１ａにおける複数の送風機２３及び複数の送風機２４は、実施の形態のエアシャワー装置１における複数の送風機１７及び複数の送風機１８に相当する。
【００８５】
なお、以下では説明を省略するものの、本変形例のエアシャワー装置１ａは、実施の形態のエアシャワー装置１と同様に、複数の送風機１１に相当する複数の送風機２５、複数の送風機１２に相当する複数の送風機２６、複数の送風機１３に相当する複数の送風機２７、及び、複数の送風機１４に相当する複数の送風機２８、を有してもよい。
【００８６】
一方、本変形例のエアシャワー装置１は、実施の形態のエアシャワー装置１と異なり、複数の送風機２３及び複数の送風機２４の動作を切り替える切替部３１（図７参照）を有する。
【００８７】
複数の送風機２１は、面部ＦＰ２１に設けられ、且つ、空気が吹き出される開口２１ｂをそれぞれ含む。複数の送風機２２は、面部ＦＰ２２に設けられ、空気が吸い込まれる開口２２ｂをそれぞれ含み、且つ、開口２２ｂが複数の送風機２１の各々に含まれる開口２１ｂとそれぞれ対向配置されている。
【００８８】
複数の送風機２３は、面部ＦＰ２２に設けられ、空気が吹き出されるか又は吸い込まれる開口２３ｂをそれぞれ含む。複数の送風機２４は、面部ＦＰ２１に設けられ、空気が吸い込まれるか又は吹き出される開口２４ｂをそれぞれ含み、且つ、開口２４ｂが複数の送風機２３の各々に含まれる開口２３ｂとそれぞれ対向配置されている。
【００８９】
具体的には、複数の送風機２１の各々は、方向Ｄ２１に沿った中心軸２１ｃを中心とする筒部２１ｄと、筒部２１ｄの内部に中心軸２１ｃを中心として回転可能に設けられたファン２１ｅと、ファン２１ｅを時計回り又は反時計回りの回転方向である第９回転方向に回転駆動する駆動部２１ｆと、を含むことができる。このような場合、開口２１ｂは、筒部２１ｄの方向Ｄ２１に沿った方向における面部ＦＰ２２側の端部２１ｇに設けられる。ファン２１ｅは、筒部２１ｄの端部２１ｇと反対側から空気を吸い込み、吸い込まれた空気を、開口２１ｂから吹き出す。
【００９０】
また、複数の送風機２２の各々は、方向Ｄ２１に沿った中心軸２２ｃを中心とする筒部２２ｄと、筒部２２ｄの内部に中心軸２２ｃを中心として回転可能に設けられたファン２２ｅと、ファン２２ｅを時計回り又は反時計回りの回転方向である第１０回転方向に回転駆動する駆動部２２ｆと、を含むことができる。このような場合、開口２２ｂは、筒部２２ｄの方向Ｄ２１に沿った方向における面部ＦＰ２１側の端部２２ｇに設けられる。ファン２２ｅは、開口２２ｂから空気を吸い込み、開口２２ｂから吸い込まれた空気を、筒部２２ｄの端部２２ｇと反対側から吹き出す。
【００９１】
また、複数の送風機２３の各々は、方向Ｄ２１に沿った中心軸２３ｃを中心とする筒部２３ｄと、筒部２３ｄの内部に中心軸２３ｃを中心として回転可能に設けられたファン２３ｅと、ファン２３ｅを時計回り又は反時計回りの回転方向である第１１回転方向に回転駆動する駆動部２３ｆと、を含むことができる。このような場合、開口２３ｂは、筒部２３ｄの方向Ｄ２１に沿った方向における面部ＦＰ２１側の端部２３ｇに設けられる。ファン２３ｅは、筒部２３ｄの端部２３ｇと反対側から空気を吸い込み、吸い込まれた空気を、開口２３ｂから吹き出す。
【００９２】
また、複数の送風機２４の各々は、方向Ｄ２１に沿った中心軸２４ｃを中心とする筒部２４ｄと、筒部２４ｄの内部に中心軸２４ｃを中心として回転可能に設けられたファン２４ｅと、ファン２４ｅを時計回り又は反時計回りの回転方向である第１２回転方向に回転駆動する駆動部２４ｆと、を含むことができる。このような場合、開口２４ｂは、筒部２４ｄの方向Ｄ２１に沿った方向における面部ＦＰ２２側の端部２４ｇに設けられる。ファン２４ｅは、開口２４ｂから空気を吸い込み、開口２４ｂから吸い込まれた空気を、筒部２４ｄの端部２４ｇと反対側から吹き出す。
【００９３】
本変形例でも、実施の形態と同様に、複数の送風機２１の各々について、送風機２１と、複数の送風機２２のうちのいずれかであり且つ送風機２１に含まれる開口２１ｂと対向配置された開口２２ｂを含む送風機２２とにより、組ＳＴ２１が形成されている。
【００９４】
送風機２１と送風機２１との組ＳＴ２１において、送風機２１は、送風機２１に含まれる開口２１ｂから、送風機２２に含まれる開口２２ｂに向けて、螺旋気流ＳＡ２１を吹き出す。また、送風機２１と送風機２２との組ＳＴ２１において、送風機２２は、送風機２１に含まれる開口２１ｂから送風機２２に含まれる開口２２ｂに向けて送風機２１により吹き出された螺旋気流ＳＡ２１を、送風機２２に含まれる開口２２ｂから吸い込む。
【００９５】
本変形例でも、実施の形態と同様に、複数の送風機２３の各々について、送風機２３と、複数の送風機２４のうちのいずれかであり且つ送風機２３に含まれる開口２３ｂと対向配置された開口２４ｂを含む送風機２４とにより、組ＳＴ２２が形成されている。
【００９６】
一方、本変形例では、実施の形態と異なり、切替部３１は、送風機２３と送風機２４との組ＳＴ２２において、送風機２３が、送風機２３に含まれる開口２３ｂから、送風機２４に含まれる開口２４ｂに向けて、螺旋気流ＳＡ２２を吹き出すか、又は、送風機２４が、送風機２４に含まれる開口２４ｂから、送風機２３に含まれる開口２３ｂに向けて、螺旋気流ＳＡ２３を吹き出すように、複数の送風機２３及び複数の送風機２４の動作を切り替える。また、切替部３１は、送風機２３と送風機２４との組ＳＴ２２において、送風機２３が螺旋気流ＳＡ２２を吹き出すときは、送風機２４が、送風機２３により吹き出された螺旋気流ＳＡ２２を、送風機２４に含まれる開口２４ｂから吸い込み、送風機２４が螺旋気流ＳＡ２３を吹き出すときは、送風機２３が、送風機２４により吹き出された螺旋気流ＳＡ２３を、送風機２３に含まれる開口２３ｂから吸い込むように、複数の送風機２３及び複数の送風機２４の動作を切り替える。
【００９７】
また、本変形例のエアシャワー装置１ａは、複数の送風機２１の各々にそれぞれ含まれる複数の開口２１ｂから吹き出される複数の螺旋気流ＳＡ２１、及び、複数の送風機２３の各々にそれぞれ含まれる複数の開口２３ｂから吹き出される複数の螺旋気流ＳＡ２２又は複数の送風機２４の各々にそれぞれ含まれる複数の開口２４ｂから吹き出される複数の螺旋気流ＳＡ２３により、空間ＳＰの内部でエアシャワーを発生させる。
【００９８】
本変形例でも、実施の形態と同様に、複数の開口２１ｂから複数の螺旋気流ＳＡ２１を吹き出すことにより放出された空気を、放出された方向と同じ方向に排気することになる。そのため、空気の気流（対流）が乱れることを防止又は抑制し、クリーンルーム等への入室者ＶＳの着衣に付着したホコリ、チリ及び汚れがエアシャワー室の空間内のあちこちに舞うことを防止又は抑制することができる。
【００９９】
また、複数の開口２３ｂから複数の螺旋気流ＳＡ２２を吹き出す場合も、空気の気流（対流）が乱れることを防止又は抑制することができる。そのため、クリーンルーム等への入室者ＶＳの着衣のうち、面部ＦＰ２１と対向した部分のみならず、面部ＦＰ２２と対向した部分にも空気を吹き付けることができ、入室者ＶＳの着衣に付着したホコリ、チリ及び汚れを効率良く除去することができる。
【０１００】
一方、本変形例のエアシャワー装置１ａでは、実施の形態のエアシャワー装置１と異なり、開口２３ｂから開口２４ｂに向けて螺旋気流ＳＡ２２を吹き出すか、又は、開口２４ｂから開口２３ｂに向けて螺旋気流ＳＡ２３を吹き出すか、切替部３１により切替可能である。
【０１０１】
これにより、互いに対向配置された２つの面部の間の空間の内部でエアシャワーを発生させる際に、全ての螺旋気流が同じ方向に吹き出される場合と、全ての螺旋気流のうち一部の螺旋気流が他の螺旋気流が吹き出される方向と逆方向に吹き出される場合と、を容易に切り替えることができる。そのため、例えばクリーンルーム等への入室者の着衣に付着したホコリ、チリ及び汚れに応じて、又は、店舗、事務所又は商業施設等に設置する場合に用途に応じて、入室者の着衣に付着したホコリ、チリ及び汚れを効率良く除去する方式と、入室者の着衣に付着したホコリ、チリ及び汚れがエアシャワー室の空間内のあちこちに舞うことを防止又は抑制する方式と、を容易に使い分けることができる。
【０１０２】
図６に示すように、好適には、方向Ｄ２１は、上下方向であり、面部ＦＰ２１は、天井面部であり、面部ＦＰ２２は、床面部である。
【０１０３】
このような場合、開口２４ｂから開口２３ｂに向けて螺旋気流ＳＡ２３を吹き出すことにより、全ての螺旋気流が天井面部から床面部に向かうことになるため、ホコリ、チリ及び汚れが下から上に舞い上がることを防止又は抑制することができる。また、店舗、事務所又は商業施設等において、エアシャワー装置を設置する場合において、店舗、事務所又は商業施設等の室内に外部から入室する入室者が例えばスカート等の衣服を着用していた場合でも、衣服が気流により巻き上げられることを防止することができる。
【０１０４】
図７に示すように、好適には、切替部３１は、送風機２３と送風機２４との組ＳＴ２２において、ファン２３ｅが開口２３ｂから空気を吹き出すか、又は、ファン２４ｅが開口２４ｂから空気を吹き出すように、駆動部２３ｆにより回転駆動されるファン２３ｅの第１１回転方向、及び、駆動部２４ｆにより回転駆動されるファン２４ｅの第１２回転方向、を切り替えることにより、複数の送風機２３及び複数の送風機２４の動作を切り替える。また、切替部３１は、送風機２３と送風機２４との組ＳＴ２２において、ファン２３ｅが開口２３ｂから空気を吹き出すときは、ファン２４ｅが開口２４ｂから空気を吸い込み、ファン２４ｅが開口２４ｂから空気を吹き出すときは、ファン２３ｅが開口２３ｂから空気を吸い込むように、駆動部２３ｆにより回転駆動されるファン２３ｅの第１１回転方向、及び、駆動部２４ｆにより回転駆動されるファン２４ｅの第１２回転方向、を切り替えることにより、複数の送風機２３及び複数の送風機２４の動作を切り替える。
【０１０５】
このような方法により、開口２３ｂから開口２４ｂに向けて螺旋気流ＳＡ２２を吹き出すか、又は、開口２４ｂから開口２３ｂに向けて螺旋気流ＳＡ２３を吹き出すか、容易に切り替えることができる。なお、ファン２３ｅ及びファン２４ｅの回転方向を反転させる方法に代えて、筒部２３ｄ及び筒部２４ｄの向きを、方向Ｄ２１と同一方向から反対方向に反転させる方法を用いることもできる。
【０１０６】
また、図６に示すように、好適には、本変形例のエアシャワー装置１ａは、実施の形態のエアシャワー装置１と同様に、方向Ｄ２１と交差する方向Ｄ２２において互いに対向配置された面部ＦＰ２３及び面部ＦＰ２４を有し、且つ、面部ＦＰ２３と面部ＦＰ２４との間の空間ＳＰの内部でエアシャワーを発生させる。このような場合、前述したように、エアシャワー装置１ａは、複数の送風機（サーキュレータ）２５と、複数の送風機（サーキュレータ）２６と、複数の送風機（サーキュレータ）２７と、複数の送風機（サーキュレータ）２８と、を有する。また、前述したように、図６における方向Ｄ２１は、図１における方向Ｄ１２（上下方向）に相当し、図６における方向Ｄ２２は、図１における方向Ｄ１１（水平方向）に相当する。
【０１０７】
図８に示すように、好適には、複数の送風機２１の各々にそれぞれ含まれる複数の開口２１ｂの各々は、方向Ｄ２１（図７参照）から視たときに、複数の送風機２３の各々にそれぞれ含まれる複数の開口２３ｂのいずれとも重ならないように、配置されている。また、複数の送風機２２（図７参照）の各々にそれぞれ含まれる複数の開口２２ｂ（図７参照）の各々は、方向Ｄ２１から視たときに、複数の送風機２４の各々にそれぞれ含まれる複数の開口２４ｂのいずれとも重ならないように、配置されている。
【０１０８】
これにより、開口２３ｂから開口２４ｂに向けて螺旋気流ＳＡ２２を吹き出す場合でも、複数の開口２１ｂから吹き出された螺旋気流ＳＡ２１と、複数の開口２３ｂから吹き出された螺旋気流ＳＡ２２と、が互いに接触することを防止又は抑制することができる。そのため、空気の気流が乱れることを防止又は抑制することができ、クリーンルーム等への入室者ＶＳの着衣に付着したホコリ、チリ及び汚れがエアシャワー室の空間内のあちこちに舞うことを防止又は抑制することができる。
【０１０９】
なお、図示は省略するが、本変形例でも、前述した図３を用いて説明した実施の形態と同様に、送風機２１と送風機２２との組ＳＴ２１において、開口２１ｂと開口２２ｂとは、方向Ｄ２１から視たときに、互いに重なるように配置されている。また、送風機２３と送風機２４との組ＳＴ２２において、開口２３ｂと開口２４ｂとは、方向Ｄ２１から視たときに、互いに重なるように配置されている。
【０１１０】
また、本変形例でも、実施の形態と同様に、好適には、方向Ｄ２１から視たときに、互いに隣り合う開口２１ｂと開口２４ｂとの中心間距離は、開口２１ｂの直径の２倍、及び、開口２４ｂの直径の２倍のいずれよりも大きい。また、本変形例でも、実施の形態と同様に、好適には、方向Ｄ２１から視たときに、互いに隣り合う開口２３ｂと開口２２ｂとの中心間距離は、開口２３ｂの直径の２倍、及び、開口２２ｂの直径の２倍のいずれよりも大きい。
【０１１１】
或いは、本変形例でも、実施の形態と同様に、好適には、方向Ｄ２１から視たときに、互いに隣り合う開口２１ｂと開口２４ｂとの中心間距離は、互いに隣り合う２つの開口２１ｂ同士の中心間距離よりも小さく、且つ、互いに隣り合う２つの開口２４ｂ同士の中心間距離よりも小さい。また、本変形例でも、実施の形態と同様に、好適には、方向Ｄ２１から視たときに、互いに隣り合う開口２３ｂと開口２２ｂとの中心間距離は、互いに隣り合う２つの開口２３ｂの中心間距離よりも小さく、且つ、互いに隣り合う２つの開口２２ｂの中心間距離よりも小さい。
【０１１２】
好適には、本変形例でも、実施の形態と同様に、複数の送風機２１の各々は、開口２１ｂに設けられ、且つ、方向Ｄ２１から視たときに時計回り又は反時計回りに渦を巻く渦巻形状をそれぞれ有する複数の孔２１ｈが形成されたグリル２１ｉを含む。また、複数の送風機２３の各々は、開口２３ｂに設けられ、且つ、方向Ｄ２１から視たときに時計回り又は反時計回りに渦を巻く渦巻形状をそれぞれ有する複数の孔２３ｈが形成されたグリル２３ｉを含む。
【０１１３】
一方、本変形例では、実施の形態と異なり、複数の送風機２４の各々は、開口２４ｂに設けられ、且つ、方向Ｄ２１から視たときに時計回り又は反時計回りに渦を巻く渦巻形状をそれぞれ有する複数の孔２４ｈが形成されたグリル２４ｉを含む。即ち、本変形例では、実施の形態と異なり、天井面部としての面部ＦＰ２１に設けられた複数の送風機２１及び複数の送風機２４のいずれも渦巻形状を有する孔が形成されたグリルを含むことになる。
【０１１４】
グリル２４ｉに形成された複数の孔２４ｈが、時計回り又は反時計回りに渦を巻く渦巻形状をそれぞれ有する場合、グリル２４ｉに形成された複数の孔２４ｈが時計回り又は反時計回りに渦を巻く渦巻形状を有しない場合に比べて、螺旋形状（スパイラル形状）を有する螺旋気流ＳＡ２３を容易に吹き出すことができる。なお、送風機２３から送風機２４に向かって視たとき、グリル２４ｉに形成された孔２４ｈが有する渦巻形状の回転方向と、送風機２４により吹き出された螺旋気流ＳＡ２３の回転方向と、ファン２４ｅの回転方向と、は同じ回転方向である。
【０１１５】
複数の送風機２４の各々がグリル２４ｉを含むことにより、本変形例では、実施の形態と異なり、開口２３ｂから開口２４ｂに向けて螺旋気流ＳＡ２２を吹き出すか、又は、開口２４ｂから開口２３ｂに向けて螺旋気流ＳＡ２３を吹き出すか、切替可能となる。
【０１１６】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【０１１７】
本発明の思想の範疇において、当業者であれば、各種の変更例及び修正例に想到し得るものであり、それら変更例及び修正例についても本発明の範囲に属するものと了解される。
【０１１８】
例えば、前述の実施の形態及び変形例に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【産業上の利用可能性】
【０１１９】
本発明は、エアシャワーを発生させるエアシャワー装置に適用して有効である。
【符号の説明】
【０１２０】
１、１ａ  エアシャワー装置
１１、１２、１３、１４、１５、１６、１７、１８  送風機
１１ａ、１３ａ、１５ａ、１７ａ  吹出口
１１ｂ、１２ｂ、１３ｂ、１４ｂ、１５ｂ、１６ｂ、１７ｂ、１８ｂ  開口
１１ｃ、１２ｃ、１３ｃ、１４ｃ、１５ｃ、１６ｃ、１７ｃ、１８ｃ  中心軸
１１ｄ、１２ｄ、１３ｄ、１４ｄ、１５ｄ、１６ｄ、１７ｄ、１８ｄ  筒部
１１ｅ、１２ｅ、１３ｅ、１４ｅ、１５ｅ、１６ｅ、１７ｅ、１８ｅ  ファン
１１ｆ、１２ｆ、１３ｆ、１４ｆ、１５ｆ、１６ｆ、１７ｆ、１８ｆ  駆動部
１１ｇ、１２ｇ、１３ｇ、１４ｇ、１５ｇ、１６ｇ、１７ｇ、１８ｇ  端部
１１ｈ、１３ｈ  孔
１１ｉ、１３ｉ  グリル
１２ａ、１４ａ、１６ａ、１８ａ  吸込口
２１、２２、２３、２４、２５〜２８  送風機
２１ｂ、２２ｂ、２３ｂ、２４ｂ  開口
２１ｃ、２２ｃ、２３ｃ、２４ｃ  中心軸
２１ｄ、２２ｄ、２３ｄ、２４ｄ  筒部
２１ｅ、２２ｅ、２３ｅ、２４ｅ  ファン
２１ｆ、２２ｆ、２３ｆ、２４ｆ  駆動部
２１ｇ、２２ｇ、２３ｇ、２４ｇ  端部
２１ｈ、２３ｈ、２４ｈ  孔
２１ｉ、２３ｉ、２４ｉ  グリル
３１  切替部
Ｄ１１、Ｄ１２、Ｄ２１、Ｄ２２  方向
ＤＭ１１〜ＤＭ１４  直径
ＤＳ１１〜ＤＳ１６  中心間距離
ＦＰ１１〜ＦＰ１４、ＦＰ２１〜ＦＰ２４  面部
ＳＡ１１〜ＳＡ１４、ＳＡ２１〜ＳＡ２３  螺旋気流
ＳＰ  空間
ＳＴ１１〜ＳＴ１４、ＳＴ２１、ＳＴ２２  組
ＶＳ  入室者
【要約】
【課題】エアシャワー室の内部での空気の気流が乱れることを防止又は抑制することができ、容易に設置使用することができるエアシャワー装置を提供する。
【解決手段】エアシャワー装置１は、面部ＦＰ１１に設けられた複数の送風機１１と、面部ＦＰ１１と対向配置された面部ＦＰ１２に設けられた複数の送風機１２と、を有し、送風機１２に含まれる吸込口１２ａが送風機１１に含まれる吹出口１１ａと対向配置されている。送風機１１と送風機１２との組ＳＴ１１において、送風機１１は吹出口１１ａから螺旋気流ＳＡ１１を吹き出し、送風機１２は吸込口１２ａから螺旋気流ＳＡ１１を吸い込む。エアシャワー装置１は、複数の吹出口１１ａから吹き出される複数の螺旋気流ＳＡ１１により、エアシャワーを発生させる。
【選択図】図１【図１】
0006974644.tif 000002
【図２】
0006974644.tif 000003
【図３】
0006974644.tif 000004
【図４】
0006974644.tif 000005
【図５】
0006974644.tif 000006
【図６】
0006974644.tif 000007
【図７】
0006974644.tif 000008
【図８】
0006974644.tif 000009